(57)【要約】【課題】  動物の皮膚を傷つける恐れがなくなる動物用スキ鋏を提供する。【解決手段】  本発明の動物用スキ鋏Ａは、平板直線状の切刃１と平板櫛状のスキ刃２とをＸ字形に組み合わせて両刃１、２が合わさる支点３が両刃１、２と握り部４の略中間に位置し、切刃１のスキ刃２に対向する側の反対側に両刃１、２を閉じた時にスキ刃２の櫛歯２ａと略平行な櫛歯５ａを有するクシ部材５を設けた。【選択図】図１
0003227299.tif 000002
【実用新案登録請求の範囲】
【請求項１】
平板直線状の切刃（１）と平板櫛状のスキ刃（２）とをＸ字形に組み合わせて前記両刃（１、２）が合わさる支点（３）が前記両刃（１、２）と握り部（４）の略中間に位置し、前記切刃（１）の前記スキ刃（２）に対向する側の反対側に両刃（１、２）を閉じた時に前記スキ刃（２）の櫛歯と略平行な櫛歯を有するクシ部材（５）を設けたことを特徴とする動物用スキ鋏（Ａ）。
【請求項２】
前記クシ部材（５）は、固定部材（６）により前記切刃（１）へ着脱自在に装着されることを特徴とする請求項１に記載した動物用スキ鋏（Ａ）。
【考案の詳細な説明】
【技術分野】
【０００１】  本考案は、犬や猫などの動物の毛を梳く際に用いられる動物用スキ鋏に関するものである。
【背景技術】
【０００２】  一般的な鋏は、犬などの毛を１００％切断することが出来るが、スキ鋏は同じような切り方をした場合、約５０％の毛を切断するものである。その理由は切刃に対し隙間の空いたスキ刃で切れる毛と切られない毛に分かれるためであり、犬などの毛玉やもつれを素早く除去することと、短く丸刈りではなく可愛らしくカットしてあげるために、適度な毛を残せるスキ鋏を使用する。【０００３】  髪の毛を梳くために用いられるスキ鋏は、種々のタイプが使用されているが、一般的なスキ鋏は、平板直線状の切刃と平板櫛状のスキ刃とをＸ字形に組み合わせて前記両刃が合わさる支点が前記両刃と握り部の略中間に位置している（特許文献１参照）。
【先行技術文献】
【特許文献】
【０００４】
【特許文献１】特許第５９５０３７９号公報
【考案の概要】
【考案が解決しようとする課題】
【０００５】  このようなスキ鋏は、人間の髪の毛を梳く場合には問題ないが、人間よりも皮膚が弱い動物、例えば犬の毛を梳く作業を行う際に、切刃とスキ刃との間に皮膚が挟まりやすく、しかも動物は静止させておくことが難しいことから、当該作業を行う作業者（トリマー）にとって非常に注意を要するものであった。【０００６】  すなわち、毛玉やもつれを通常のカット用の鋏で割く場合、安全ではあるが固まった毛を一筋ずつ割く作業のため効率が悪かった。【０００７】  また、従来のスキ鋏で皮膚ギリギリに入れることで、一度に何か所も毛玉やもつれの土台に穴あけし毛を抜けやすく出来るのだが、犬の皮膚を挟みやすくケガに繋がる危険があった。【０００８】  皮膚を挟むことによるケガを防ぐために、もう片方の手でクシを入れ皮膚を避けた毛にスキ鋏を入れる手法もあるが、その場合は両手を使用することになり、動く犬などの保定ができなくなることで安全性と効率性に課題があった。
【課題を解決するための手段】
【０００９】  本考案は、前記課題を解決するために、平板直線状の切刃と平板櫛状のスキ刃とをＸ字形に組み合わせて前記両刃が合わさる支点が前記両刃と握り部の略中間に位置し、前記切刃の前記スキ刃に対向する側の反対側に前記両刃を閉じた時に前記スキ刃の櫛歯と略平行な櫛歯を有するクシ部材を設けた動物用スキ鋏である。【００１０】  特に、前記クシ部材は、固定部材により前記切刃へ着脱自在に装着される動物用スキ鋏である。
【考案の効果】
【００１１】  クシ部材により動物の皮膚が切刃とスキ刃の間に入ることを抑えることができるので、動物の皮膚を傷つける恐れがなくなる。【００１２】  また、クシ部材を着脱自在とすることで、トリマーが愛用しているクシ鋏への後付けが可能となり、更に、クシ部材の櫛歯が破損した場合などの交換を要する場合にもクシ部材だけの交換で済むため、維持費が安価で済むものである。
【図面の簡単な説明】
【００１３】
【図１】  本考案の一実施例の正面図である。
【図２】  同上の要部側面図である。
【考案を実施するための形態】
【００１４】  平板直線状の切刃と平板櫛状のスキ刃とをＸ字形に組み合わせて前記両刃が合わさる支点が前記両刃と握り部の略中間に位置し、前記切刃の前記スキ刃に対向する側の反対側に前記両刃を閉じた時に前記スキ刃の櫛歯と略平行な櫛歯を有するクシ部材を設けた動物用スキ鋏であるため、クシ部材により動物の皮膚が切刃とスキ刃の間に入ることを抑える。
【００１５】  また、前記クシ部材は、固定部材により前記切刃へ着脱自在に装着されることにより、クシ部材の櫛歯が破損した場合などの交換ができる。
【実施例】
【００１６】  以下、本考案の一実施例である犬へ使用する動物用スキ鋏を示す図１、２に基づいて説明する。【００１７】  １は、平板直線状の切刃、２は、平板櫛状のスキ刃であり、３は、これらをＸ字形に組み合わせる支点、４は、両刃１、２の握り部であり、支点３は、両刃１、２と握り部４の略中間に位置している。【００１８】  ５は、切刃１のスキ刃２に対向する側の反対側に両刃１、２を閉じた時にスキ刃２の櫛歯２ａと略平行な櫛歯５ａを有するクシ部材である。【００１９】  このクシ部材５は、全体が金属製の平板状で、櫛歯５ａの根本が一つのプレート５ｂに支持され、このプレート５ｂをネジなどの固定部材６により切刃１の所定個所に着脱自在に装着されており、以上が動物用スキ鋏Ａを構成している。【００２０】  斯かる構成の動物用スキ鋏Ａは、クシ部材５が毛玉やもつれと皮膚を分けるため、切刃１とスキ刃２で皮膚を挟むことなく、動物用スキ鋏Ａで効率よく毛玉やもつれの根本付近を穴あけし梳くことができる。【００２１】  また、片手は犬を保定することが出来るため、より安全性と効率性を高めることが可能になる。【００２２】  クシ部材５は、犬の毛を掴みやすくなるよう刃先と開閉角度に合わせたカーブ形状とし、動物用スキ鋏Ａの全体に対してコンパクトなサイズであり、毛玉やもつれにスムーズに入り込むことで、クシ部材５の櫛歯５ａ間に皮膚が侵入できないよう適度な間隔になっている。【００２３】  クシ部材５により動物の皮膚が切刃１とスキ刃２の間に入ることを抑えることができるので、動物の皮膚を傷つける恐れがなくなる。【００２４】  このように切刃１側にクシ部材５を装着することで、犬の皮膚を挟むなどのケガを防ぎ、トリマーが片手で作業が出来るので効率アップとなる。【００２５】  また、クシ部材５を着脱自在とすることで、トリマーが愛用しているクシ鋏への後付けが可能となり、更に、クシ部材５の櫛歯５ａが破損した場合などの交換を要する場合にもクシ部材５だけの交換で済むため、維持費が安価で済むものである。【００２６】  クシ部材５は研ぎ時に着脱が可能にすることで、定期的な動物用スキ鋏Ａ、特に切り刃１の研ぎを容易に行うことができる。【００２７】  本考案は、その要旨を変更しない限りで種々の変更が考えられ、例えば、犬に使用する場合を説明したが、猫などの他の動物用スキ鋏として使用できることは言うまでもなく、クシ部材５は、固定部材６によらずに切刃１へ固定（溶接など）される構成であっても構わない。
【符号の説明】
【００２８】  Ａ  動物用スキ鋏
１  切刃
２  スキ刃
３  支点
４  握り部
５  クシ部材
６  固定部材
【図１】
0003227299.tif 000003
【図２】
0003227299.tif 000004